(57)【要約】【課題】  被読取物のページをめくる際に、被読取物が画像読取手段に干渉することを防止でき、その結果、作業性をさらに向上させることができる画像読取装置を提供する。【解決手段】  被読取面２を上にして印刷物３を載置させる載置機構１１５と、印刷物３の上方に設けられるとともに読取面８９を下に向けたスキャナ６５とを有し、このスキャナ６５によって印刷物３を上から読み取る画像読取装置１において、スキャナ６５の上下の移動を可能にする昇降補助機構１１を設けたことを特徴とする。【選択図】    図１
2006197389.tif 000002
【特許請求の範囲】
【請求項１】
被読取面を上にして被読取物を載置させる被読取物載置台と、
前記被読取物の上方に設けられるとともに読取面を下に向けた画像読取手段とを有し、
該画像読取手段によって前記被読取物を上から読み取る画像読取装置において、
前記画像読取手段の上下の移動を可能にする昇降機構を設けたことを特徴とする画像読取装置。
【請求項２】
前記画像読取手段の読取面を前記被読取物の被読取面に当接させて画像を読み取ることを特徴とする請求項１記載の画像読取装置。
【請求項３】
前記画像読取手段には、その読取面と前記被読取物の被読取面との当接状態を外部から確認するための窓部が設けられていることを特徴とする請求項２記載の画像読取装置。
【請求項４】
前記画像読取手段の側面の下部に切り欠きを設けたことを特徴とする請求項１から請求項３のいずれか一項に記載の画像読取装置。
【請求項５】
前記切り欠きは、前記画像読取手段の隣り合う側面に設けられることを特徴とする請求項４記載の画像読取装置。
【請求項６】
前記画像読取手段には、紫外線光源が設けられていることを特徴とする請求項１から請求項５のいずれか一項に記載の画像読取装置。
【請求項７】
前記画像読取手段には、少なくとも白色光源及び紫外線光源が設けられていることを特徴とする請求項１から請求項６のいずれか一項に記載の画像読取装置。
【請求項８】
前記紫外線光源による画像読取中であることを外部へ知らせる報知手段が設けられていることを特徴とする請求項６又は請求項７記載の画像読取装置。
【請求項９】
前記白色光源又は前記紫外線光源の少なくともどちらか一方で画像を読み取ることを特徴とする請求項１から請求項８のいずれか一項に記載の画像読取装置。
【請求項１０】
前記画像読取手段に対して前記被読取物載置台が水平方向にスライドすることを特徴とする請求項１から請求項９のいずれか一項に記載の画像読取装置。
【請求項１１】
前記画像読取手段に対して前記被読取物載置台が回転することを特徴とする請求項１から請求項１０のいずれか一項に記載の画像読取装置。
【請求項１２】
前記被読取物載置台は、前記被読取物の一側を水平に載置させる被読取物載置部と、前記被読取物の他側を支持する被読取物支持部とを有して相互間に隙間を設けて成っており、前記隙間の幅は調節可能であることを特徴とする請求項１から請求項１１のいずれか一項に記載の画像読取装置。
【請求項１３】
前記被読取物載置台は、前記被読取物の一側を水平に載置させる被読取物載置部と、前記被読取物の他側を支持する被読取物支持部とを有しており、前記被読取物支持部は、前記被読取物載置部に対して傾斜可能に設けられ、その傾斜角度を調節する角度調節機構を有していることを特徴とする請求項１から請求項１２のいずれか一項に記載の画像読取装置。
【発明の詳細な説明】
【技術分野】
【０００１】
本発明は、上向きに載置された被読取物の上方から画像を読み取る画像読取装置に関する。
【背景技術】
【０００２】
従来の印刷物の画像等の被読取物を読み取る画像読取装置は、被読取面を下にして載置台にセットされる被読取物を上方から押さえ板で押さえて、上記印刷物である本を全開して読み取っていた。つまり、被読取面の画像情報を載置台の下側に備えられた光学系の読取部で読み取っていた。この装置の場合、載置台のコーナー部分に被読取物の一角を位置合わせして読み取ることになるが、被読取面が見えないため読取範囲の確認ができず不便であるとともに、被読取面の辺縁部分が読み取れない場合もあった。
そのため、例えば、載置台上の原点ズレによるオフセットや読取不能領域を無くし、被読取物と読み取ったイメージの寸法精度を高める画像読取装置が提供されている（特許文献１参照）。しかし、多くの被読取物を読み取る場合、被読取面を下にする動作を繰り返さなければならず面倒である。
また例えば、古文書等を読み取る場合、その取り扱いに慎重を要する。つまり、古文書の記録媒体には、パピルスや羊皮紙等が用いられている。これらは、年月とともに非常に脆くなっており丁寧に取り扱わなければならない。
この問題を解決するものとして、上向きに載置された被読取物の画像を上方から読み取るものが知られている。例えば、被読取面を上にして載置台にセットされた被読取物を、その上方に設けられた光源によって照らすとともに、同様に上方に設けられたカメラによって画像を読み取る画像読取装置が提供されている（特許文献２参照）。
この画像読取装置は、被読取面を下にする面倒な動作を必要とせず、貴重な古文書であっても傷めることなく画像を読み取ることができる。また、被読取面を確認できるため便利であり、被読取物の載置台へのセットも容易である。
【特許文献１】特開平８−２７４９７２号公報
【特許文献２】特開２０００−１４７７４０号公報
【発明の開示】
【発明が解決しようとする課題】
【０００３】
しかしながら、上記した画像読取装置では、画像読取手段であるカメラ及び光源が位置固定であるため、被読取物のページをめくる際にこれらに干渉してしまう可能性があり、作業性の点でさらなる改善の余地があった。
【０００４】
本発明は、かかる従来技術の問題点を解決するものであって、その目的とするところは、被読取物のページをめくる際に、被読取物が画像読取手段に干渉することを防止でき、その結果、作業性をさらに向上させることができる画像読取装置の提供にある。
【課題を解決するための手段】
【０００５】
そこで、本発明において上記目的を達成するために、まず請求項１に係る発明は、被読取面を上にして被読取物を載置させる被読取物載置台と、前記被読取物の上方に設けられるとともに読取面を下に向けた画像読取手段とを有し、該画像読取手段によって前記被読取物を上から読み取る画像読取装置において、前記画像読取手段の上下の移動を可能にする昇降機構を設けたことを特徴とする。
【０００６】
また、請求項２に係る発明は、請求項１に係る発明において、前記画像読取手段の読取面を前記被読取物の被読取面に当接させて画像を読み取ることを特徴とする。
【０００７】
また、請求項３に係る発明は、請求項２に係る発明において、前記画像読取手段には、その読取面と前記被読取物の被読取面との当接状態を外部から確認するための窓部が設けられていることを特徴とする。
【０００８】
また、請求項４に係る発明は、請求項１から請求項３のいずれか一項に係る発明において、前記画像読取手段の側面の下部に切り欠きを設けたことを特徴とする。
【０００９】
また、請求項５に係る発明は、請求項４に係る発明において、前記切り欠きは、前記画像読取手段の隣り合う側面に設けられることを特徴とする。
【００１０】
また、請求項６に係る発明は、請求項１から請求項５のいずれか一項に係る発明において、前記画像読取手段には、紫外線光源が設けられていることを特徴とする。
【００１１】
また、請求項７に係る発明は、請求項１から請求項６のいずれか一項に係る発明において、前記画像読取手段には、少なくとも白色光源及び紫外線光源が設けられていることを特徴とする。
【００１２】
また、請求項８に係る発明は、請求項６又は請求項７に係る発明において、前記紫外線光源による画像読取中であることを外部へ知らせる報知手段が設けられていることを特徴とする。
【００１３】
また、請求項９に係る発明は、請求項１から請求項８のいずれか一項に係る発明において、前記白色光源又は前記紫外線光源の少なくともどちらか一方で画像を読み取ることを特徴とする。これにより、例えば、白色光源と紫外線光源の両光源で順次読み取る処理が可能になる。
【００１４】
また、請求項１０に係る発明は、請求項１から請求項９のいずれか一項に係る発明において、前記画像読取手段に対して前記被読取物載置台が水平方向にスライドすることを特徴とする。
【００１５】
また、請求項１１に係る発明は、請求項１から請求項１０のいずれか一項に係る発明において、前記画像読取手段に対して前記被読取物載置台が回転することを特徴とする。
【００１６】
また、請求項１２に係る発明は、請求項１から請求項１１のいずれか一項に係る発明において、前記被読取物載置台は、前記被読取物の一側を水平に載置させる被読取物載置部と、前記被読取物の他側を支持する被読取物支持部とを有して相互間に隙間を設けて成っており、前記隙間の幅は調節可能であることを特徴とする。
【００１７】
また、請求項１３に係る発明は、請求項１から請求項１２のいずれか一項に係る発明において、前記被読取物載置台は、前記被読取物の一側を水平に載置させる被読取物載置部と、前記被読取物の他側を支持する被読取物支持部とを有しており、前記被読取物支持部は、前記被読取物載置部に対して傾斜可能に設けられ、その傾斜角度を調節する角度調節機構を有していることを特徴とする。
【発明の効果】
【００１８】
請求項１に係る発明によれば、昇降機構を設けたことにより画像読取手段の上下の移動が可能になるので、被読取物のページをめくる際に、画像読取手段を上昇させることにより、被読取物が画像読取手段に干渉してしまうことを防ぐことができるので、作業性を良くすることができる。また、載置台に被読取物をセットする際にも画像読取手段が邪魔にならない。
【００１９】
請求項２に係る発明によれば、画像読取手段の読取面を被読取物の被読取面に当接させて読み取るので、凹凸のある被読取物であっても被読取面を平坦にすることができ、正確な画像を読み取ることができる。
【００２０】
請求項３に係る発明によれば、画像読取手段の読取面と被読取物の被読取面との当接状態を窓部を介して外部から確認することができるので、被読取物へ負担をかけ過ぎることなく適度な圧着で読み取ることができる。
【００２１】
請求項４に係る発明によれば、画像読取手段の側面の下部に切り欠きを設けたので、例えば、読取可能な範囲を側面側に極力寄せることができ、被読取物である本を見開きにした状態のページの繋ぎ目となる部分（以下、ノド部と称する。）まで画像を読み取ることができる。
【００２２】
請求項５に係る発明によれば、切り欠きは、前記画像読取手段の隣り合う側面に設けられるため、本の向きを変えることにより、例えば、小さいサイズの被読取物から大きいサイズの被読取物まで読み取ることが可能となる。
【００２３】
請求項６に係る発明によれば、画像読取手段には、紫外線光源が設けられているので、高度な画像読取が可能となる。
【００２４】
請求項７に係る発明によれば、視認できない紫外線光源による画像読取中であることを外部へ知らせる報知手段が設けられているので、作業者に画像読取中であることを確実に認識させることができる。
【００２５】
請求項８に係る発明によれば、画像読取手段に対して被読取物載置台が水平方向にスライドすることができるので、本のページによってノド部の位置が変わっても、その変化に応じた調節が可能である。
【００２６】
請求項９に係る発明によれば、画像読取手段に対して被読取物載置台が回転するので、被読取物の方向を容易に変更することができる。
【００２７】
請求項１０に係る発明によれば、被読取物載置台は、被読取物の一側を水平に載置させる被読取物載置部と、被読取物の他側を支持する被読取物支持部とを有して相互間に隙間を設けて成っているので、この隙間に本の背表紙を挿入させることによって本を固定することができる。さらに、隙間の幅は調節可能であるため、本の背表紙の厚さに応じた幅に隙間を調節することができる。
【００２８】
請求項１１に係る発明によれば、被読取物載置台の被読取物支持部は、被読取物載置部に対して傾斜可能に設けられているので、被読取面のある本の一側を被読取物載置部に載置させ、他側を被読取物支持部に載置させることによって、本を全開状態にすることなく、軽く開いた状態で読み取ることができる。これにより、古くて脆い本であっても本に負担をかけることなく画像を読み取ることができる。また、被読取物支持部の傾斜角度を調節する角度調節機構を有しているため、本の厚みやページによって、角度を適宜調節することができる。
【発明を実施するための最良の形態】
【００２９】
以下、本発明の一実施形態について、図面を用いて説明する。
本実施形態の画像読取装置１は、被読取面２を上に向けた状態で印刷物（被読取物）３を載置させる印刷物載置部（被読取物載置部）１１９と、それをのせる基台５と、この基台５の四隅に設けられた支持部（昇降機構）７を介して上下に昇降する読取部９と、読取部９の昇降を補助する昇降補助機構（昇降機構）１１とから構成され、図１及び図２に示すようなキャスター１３の付いた可動台１５に設置されている。
【００３０】
上記基台５は、略長方形状を呈しており、その裏面における長手方向に沿う両側の側縁に設けられた複数の設置部１７によって可動台１５へと水平に設置されている。
【００３１】
支持部７は、基台５の四隅にそれぞれ鉛直に立設されている。各支持部７は、固定具１９を介して基台５に固定され、基台５から一定の間隔をおいた所に環状のストッパ２１がそれぞれ外装されている。このストッパ２１は、上下動可能なものとなっており、支持部７の半径方向外側に一定の肉厚を有するとともに軸心方向に一定の幅を有して形成されており、互いの高さを一致させて設けられている。
【００３２】
各支持部７のストッパ２１より上側には、基台５の真上に位置するとともに水平つまり基台５と平行となるように、上記した読取部９が上下方向に昇降可能に設けられている。
具体的に読取部９とは、各支持部７間を渡すようにして支持部７に装着される天板（昇降機構）２６と、この天板２６の下面側に固定され天板２６を上下方向に昇降可能に保持する可動保持部（昇降機構）２７と、天板２６の上面側に固定され上記可動保持部２７とともに天板２６を挟持する挟持部（昇降機構）２９と、読取部９の昇降を規制する移動規制部３１とから構成されている。
【００３３】
天板２６は、図３に示すように、略長方形状を呈しており、その長手方向の長さは基台５より若干短く、後方側の側縁部には内側に凹むようにして溝部３３が形成されている。
さらに、天板２６の四隅には支持部７を挿通可能な支持部挿通孔３５が形成されているが、画像読取装置１の前方側に位置する支持部挿通孔３５においては、前方の角部３６よりもやや内側に位置するようにして形成されている。さらに、天板２６の略中央位置には、幅方向に沿うようにして長方形状の覗き窓３７が形成されており、基台５上の印刷物３を上方から覗けるようになっている。この覗き窓３７の隣には矩形状の印刷物挿通孔３８が並設され、その長手方向は覗き窓３７の長手方向に沿っている。印刷物挿通孔３８の前方側縁部と、覗き窓３７の前方側縁部との位置は、天板２６の幅方向において略一致している。
また、天板２６の前方側縁部の両側には、天板２６を昇降させるときに作業者が持つための一対の取手３９が設けられている。この取手３９は、棒状体を屈曲させてコ字状に形成したものであり、側縁部から前方へと湾曲させてあることによって作業者が掴み易いものとなっている。この取手３９は、天板２６の左方側縁部における中央位置にも設けられている。
【００３４】
可動保持部２７は、図１及び図２に示すように、支持部７に外装されるとともに天板２６の下面に固定され、その形状は全体的に支持部７の長手方向に長さを有する略円筒状を呈する円筒体４１と、円筒体４１の上端に設けられるリング状の枠体４３とで構成されている。円筒体４１の半径方向外側の肉厚は、上記ストッパ２１の肉厚よりも薄く、枠体４３においてはストッパ２１と同等もしくはそれ以上の肉厚を有して形成されている。この可動保持部２７は、支持部７の軸線方向に移動可能なものであり、それぞれの高さ位置を一致させながら天板２６を水平に保持している。そして、可動保持部２７が支持部７の軸方向に沿って下降した場合には、支持部７に設けられたストッパ２１と当接し、その移動が規制されることになる。
【００３５】
挟持部２９は、上記ストッパ２１と略同形状を成して画像読取装置１の後方に位置する２本の支持部７に外装され、天板２６の上面に固定されている。
【００３６】
移動規制部３１は、画像読取装置１の前方に位置する２本の支持部７それぞれに具備され、挟持部２９と同様に天板２６の上面に固定されている。この移動規制部３１は、図３に示すように、支持部７に外装されるリング体４５と天板２６よりも外側へと突出するレバー操作部４７とを有している。レバー操作部４７は、リング体４５前方の周壁から支持部７の軸線に対して垂直に突出する軸部４９と、軸部４９の端部に設けられる固定部５１を介して軸部４９へと固定されるレバー５３とからなり、このレバー５３は、軸部４９に対して垂直に設けられ、レバー５３の回動によって読取部９の支持部７へのロック及びロック解除を行うものである。つまり、レバー５３を一方向へ回動させると天板２６が支持部７にロックされて移動が規制され、逆方向へ回動させるとロックが解除されて支持部７に対して天板２６が高さ調節可能になる。
【００３７】
読取部９の昇降をサポートする昇降補助機構１１は、図１及び図２に示すように装置の右側に設けられており、この昇降補助機構１１は、外側部分を構成する略直方体形状の箱体５７と、基台５に鉛直に立設された昇降用の支柱５８と、この支柱５８に案内されて鉛直方向に上下動するカウンターウエイト６１とを備えている。このカウンターウエイト６１は、読取部９と同じ重量で形成されており、ワイヤーロープ６３を介して天板２６へと連結されている。
【００３８】
本実施形態では、画像読取手段であるスキャナ６５を印刷物３の上方に設けている。つまり、印刷物３の上方に位置する天板２６に読取面を下に向けたスキャナ６５が取り付けられている。このスキャナ６５は、図４から図６に示すように、光源６７を収容したスキャナ本体６９と、読取面８９を有する張り出し部７１とからなり、連結板７３を介して天板２６へと連結固定されている。
【００３９】
図３に示すように、上面視略長方形状を成すスキャナ本体６９は、その長手方向を天板２６の幅方向に沿わせた姿勢で、その右側縁部と、天板２６における印刷物挿通孔３８の左側縁部との位置が天板２６の長手方向において一致するように設けられている。そして、図３に示すように、スキャナ本体６９には、その厚さ方向を貫通する円形状の窓部４０が複数詳しくは３つ形成されており、これらは天板２６の覗き窓３７内に位置し、天板の上方からこれら窓部４０及び覗き窓３７を通して、印刷物３が覗けるようになっている。
【００４０】
さらに、このスキャナ本体６９は、図４に示すように、幅方向における一方の側面７４の下部に下側ほど内側に位置するように傾斜する切り欠き７５が形成されている。この切り欠き７５の傾斜角度は、印刷物３が書物等である場合、書物を見開きにした状態の中央部分であるページの繋ぎ目（以下、ノド部７７と称する。）の傾斜部分に沿うような角度となっている。このとき、上記書物が特に厚みのある書物として設定する。
【００４１】
一方、スキャナ本体６９の下部に位置する張り出し部７１には、図４に示すように、幅方向における一方（昇降補助機構１１側）の側面７９の下部に切り欠き８２が形成され、側面７９と隣り合う図６に示す側面（装置後方側の側面）８１の下部に切り欠き８３が形成されている。このとき、切り欠き８２は、上記スキャナ本体６９の切り欠き７５の傾斜角度と同じ傾斜を成しており、互いに略面一となっている。この張り出し部７１には、その基端に略長方形状のガラス８７が設けられている。また、張り出し部７１の下端面が焦点位置とされて、スキャナ６５の読取面８９となっている。この読取面８９は、図１に示すように、下方の印刷物３の上側の被読取面２と対向している。
【００４２】
ここで、上記スキャナ本体６９には、その長手方向に沿って図示略のガイドレールが配設されており、このガイドレールに図４から図６に示す画像を読み取るためのキャリッジ装置９１が水平移動可能に支持されている。このキャリッジ装置９１は、印刷物３を照らす光源６７、光を受光するＣＣＤラインセンサ９３、印刷物３の画像を反射させる複数の鏡９７、印刷物３の画像をＣＣＤラインセンサ９３上に縮小投影するレンズ９５などで構成されている。そして、このスキャナ本体６９のキャリッジ装置９１における光学系を介してＣＣＤラインセンサ９３により画像を読み取る。詳しくは、キャリッジ装置９１内の複数の鏡９７で光を反射させ、反射した光をレンズ９５で集光して線状に配置されたＣＣＤラインセンサ９３で受光する。
【００４３】
光源６７には、管状の白色光源９９及び管状の紫外線光源１０１，１０２が用いられており、それらの長手方向をスキャナ本体６９の幅方向に沿わせた状態で収容されている。紫外線光源１０１，１０２においては、白色光源９９に比べると光量が少ないため、ここでは２本設けられている。これら白色光源９９及び紫外線光源１０１，１０２は、各々の両端が図４に示すような支持体１０４によって支持されてキャリッジ装置９１へと取り付けられている。
【００４４】
なお、スキャナ６５の隣には、図１及び図３に示すように、スキャナ６５を可動させる装置部１０３が設けられている。この装置部１０３には、図１に示すように、画像読取装置１の電源や光源６７の照射を示すための報知ランプ（報知手段）１０５等が備え付けられている。この報知ランプ１０５は、白色光源９９及び紫外線光源１０１，１０２の点灯を示すものであって、特に、視認できない紫外線光源１０１，１０２による画像読取中であることを外部へ知らせる手段として有効となっている。
【００４５】
次に、本実施形態の光源６７である白色光源９９及び紫外線光源１０１，１０２の位置について詳しく述べる。
キャリッジ装置９１の底部には、上記した白色光源９９と２本の紫外線光源１０１，１０２が配置されている。図６に示すように、光路上読取面８９に最も近い鏡９７の右下に白色光源９９が配置されており、鏡９７の左下に２本の紫外線光源１０１，１０２が配置されていて、上側の紫外線光源１０１は、その中心部が白色光源９９の上端と略一致する高さに位置している。下側の紫外線光源１０２は、紫外線光源１０１よりもさらに内側に配置されており、その中心部が白色光源９９の下端と略一致しているとともに、紫外線光源１０１の左側端部と略一致している。白色光源９９と紫外線光源１０１，１０２とは一定の間隔をおいて配置されている。
【００４６】
そして、このような光源６７から発光された光は、読取面８９の所定箇所を透過して印刷物３の被読取面２を照射し被読取面２から鉛直上方へと反射する。反射した光つまり被読取面２の画像はキャリッジ装置９１内の複数の鏡９７及びレンズ９５を介してＣＣＤラインセンサ９３へと集光されることになる。このようにして、印刷物３の画像を読み取ることになる。
ここで、上述した白色光源９９と紫外線光源１０１，１０２との間隔は、被読取面２からの反射光が通過可能な間隔となっている。
なお、上記した天板２６の覗き窓３７は、スキャナ６５を通して読取面８９よりも下方を視認可能となっている。
【００４７】
本実施形態の基台５の所定位置には、図１及び図７に示すように、長手方向に沿うようにしてレール１０７が設けられており、その両側面には内側に凹む図示しない溝部が長手方向に沿って形成されている。このレール１０７には、レール１０７上を移動可能であるとともに、レール１０７上のある位置において固定可能な固定部１１１が設けられている。固定部１１１は断面視コ字状を成しており、その両端部には溝部へと係合するように例えば爪部が設けられている。この爪部をレール１０７の溝部と係合させながら固定部１１１をレール１０７へと設置し、固定部１１１の上方に備えられた止めネジ１１３を締め付けることによって固定部１１１がレール１０７へと固定されることになる。
【００４８】
さらに基台５上には、図１，図８及び図９に示すように、印刷物３を載置させるための載置機構（被読取物載置台）１１５が設けられている。この載置機構１１５は、略長方形状を呈する底板１１７と、開いた状態の印刷物３の一側を水平に載置させる印刷物載置部１１９と、開いた状態の印刷物３の他側を支持する印刷物支持部（被読取物支持部）１２１と、この印刷物支持部１２１を支持するとともに印刷物載置部（被読取物載置部）１１９と印刷物支持部１２１との相互間の間隔を調節する調節機構（角度調節機構）１２３と有している。
【００４９】
底板１１７は、略長方形状を呈しており薄肉の板状に形成されている。この底板１１７の下面には、その長手方向に沿う両側の側縁部に複数のキャスター１２５が設けられている。また、底板１１７の上面には、略長方形状を成す厚みのある印刷物載置部１１９が、長手方向を底板１１７の幅方向に沿わせた状態で設けられている。
【００５０】
印刷物支持部１２１は、略長方形状を成す支持板１２９と、支持板１２９よりも幅方向長さが短い支持板保持部１３１とで構成されており、支持板保持部１３１には、長手方向に沿って貫通する貫通孔１３３が形成されている。このような支持板保持部１３１の表面に支持板１２９が設けられている。なお、支持板１２９の長手方向両側部が支持板保持部１３１の長手方向両側部から突出した状態となっている。
【００５１】
調節機構１２３は、印刷物支持部１２１の貫通孔１３３に挿入される円柱状の固定軸１３５と、この固定軸１３５に設けられる略台形状を成す一対の調節板１３７と、調節板１３７及び固定軸１３５を保持する一対のガイド保持板１３９と、このガイド保持板１３９に固定軸１３５を固定する固定ダイヤル１４１とから構成されている。
【００５２】
一対のガイド保持板１３９は、底板１１７の長手方向に沿う両側縁部における印刷物載置部１１９とは所定間隔を隔てた位置に、互いに対向する状態で立設されている。
これらのガイド保持板１３９は、図８に示すように、印刷物載置部１１９とは反対側の上部に傾斜部１５６を有しており、その内側には２本の溝部１５７，１５８が形成されている。これら溝部１５７，１５８は、上部が傾斜部１５６の傾斜に沿っており、下部が鉛直に沿っていて、互いに所定の間隔をおいて形成されている。なお、外側の溝部１５７は、内側の溝部１５８よりも若干広い幅となっている。
【００５３】
固定軸１３５は、印刷物支持部１２１の貫通孔１３３内に嵌合固定され、その両端部は印刷物支持部１２１の両側部から突出した状態となっている。固定軸１３５には、両端部の所定の位置から先端にかけて雄ネジ部１４３が形成されている。
【００５４】
一対の調節板１３７は、長さの長い下辺を水平にした状態で、それぞれの表面における略中央位置に、円筒状のガイドピン１４７が表面に対して垂直に立設されている。また、このガイドピン１４７よりも下方であって一方の角部側に上記固定軸１３５を挿通可能な固定軸貫通孔１５１が形成されている。また、調節板１３７の裏面には、複数の突起部１５５がガイドピン１４７とは相反方向に突出した状態で設けられている。このような調節板１３７は、固定軸貫通孔１５１内に上記固定軸１３５を挿通させながら、印刷物支持部１２１を挟み込むようにして固定軸１３５へと設けられ、印刷物支持部１２１に対して垂直姿勢となる。そして、このような一対の調節板１３７の各ガイドピン１４７が一対のガイド保持板１３９の外側の溝部１５７内に挿入させられることになり、さらに、固定軸１３５の両端部が一対のガイド保持板１３９の内側の溝部１５８内に挿入させられることになる。このとき、例えば、調節板１３７の突起部１５５に、印刷物支持部１２１の支持板保持部１３１から突出した支持板１２９の両側部を係止させた状態で印刷物支持部１２１を保持することになる。すると、印刷物支持部１２１は、底板１１７に対して傾斜した姿勢で設けられることになる。
【００５５】
固定ダイヤル１４１は、多角形状を成し、その中心部に雌ネジ部１６０が形成されており、上記固定軸１３５の雄ネジ部１４３を螺入させるものである。つまり、固定軸１３５の両端部をガイド保持板１３９の溝部１５８に挿入させたときに、ガイド保持板１３９から外側へと突出する雄ネジ部１４３に設けられるものである。そして、この固定ダイヤル１４１を締め付けることによって、固定軸１３５、印刷物支持部１２１、両調節板１３７及び両ガイド保持板１３９が互いに固定されることになる。
【００５６】
また、固定ダイヤル１４１を緩めて固定軸１３５及びガイドピン１４７を溝部１５８及び溝部１５７内で移動させて位置を変えることによって、印刷物支持部１２１の上下方向位置及び水平方向位置を調節することができる。したがって、印刷物載置部１１９に対して印刷物支持部１２１の傾斜角度を調節することができるとともに、印刷物載置部１１９に対する印刷物支持部１２１の位置、つまり、相互間の隙間の幅を調節することが可能になる。
【００５７】
なお、ガイド保持板１３９の溝部１５７，１５８に、一定の間隔をあけて下方へと凹む係止溝を複数形成してもよい。この場合、固定ダイヤル１４１及び固定軸１３５を廃止するとともに、両調節板１３７に円筒形状の係止ピンを立設させ、この係止ピンを溝部１５８の上記係止溝へと係合させるとともにガイドピン１４７を溝部１５７の係止溝へと係合させることによって調節板１３７をガイド保持板１３９に固定させることができる。このように、係止ピンを溝部１５７，１５８の係止溝に嵌合させることによって印刷物支持部１２１が係止されて、印刷物支持部１２１がガイド保持板１３９に保持されることになる。このとき、係止ピンを係止させる係止溝の位置を変えることによって、上記同様、印刷物支持部１２１の上下方向位置及び水平方向位置を調節することができるとともに、印刷物載置部１１９と印刷物支持部１２１との隙間の幅を調節することが可能になる。
【００５８】
このような載置機構１１５は、底板１１７における一方の側部に設けられた複数のキャスター１２５を基台５のレール１０７よりも外側つまり装置の前方側に位置させるとともに、調節機構１２３を昇降補助機構１１側に配置した状態で設置される。すると、載置機構１１５は、このレール１０７に沿って水平方向へスライドすることが可能となる。つまり、上方のスキャナ６５に対する載置機構１１５の位置を変えることができるので、印刷物３の読取部位を調節することができる。基台５上における載置機構１１５の位置決めは、レール１０７上に設けられた固定部１１１によって行われる。
【００５９】
この画像読取装置１で書物等の印刷物３を読み取る場合には、図１に示すように、スキャナ６５を上昇させておき印刷物３を見開いた状態で載置機構１１５へとセットする。ここで、被読取面２のある印刷物３の一側を載置機構１１５の印刷物載置部１１９に載置させ、他側を印刷物支持部１２１へと載置させる。このとき、印刷物３の背表紙の厚さに応じて印刷物載置部１１９と印刷物支持部１２１との間の隙間、及び印刷物支持部１２１の傾斜角度を調節機構１２３によって調節する。
【００６０】
そして、読取部９を徐々に下降させ、図７に示すように、スキャナ６５の読取面８９を被読取面２に当接させた状態で移動規制部３１のレバー５３を回動させて、読取部９を所定の位置で停止させる。この下降時に、スキャナ６５の切り欠き７５及び切り欠き８２を印刷物３の斜めに立ち上がる部分、つまり、印刷物支持部１２１に支持された他側に当接させ、スキャナ６５の切り欠き８２と読取面８９との接合部分が印刷物３のノド部７７に近づけることが可能になるように載置機構１１５を基台５上で移動させてから、スキャナ６５の読取面８９を印刷物３の被読取面２へと当接させる。印刷物支持部１２１及び印刷物支持部１２１に支持される印刷物３の他側の上部は、天板２６に形成された印刷物挿通孔３８から天板２６の上方へと突出することになる。
【００６１】
そして、まずスキャナ６５の白色光源９９のみで被読取面２を照明して画像を読み取り、次に、紫外線光源１０１，１０２により紫外線を照射させて白色光源９９では読み取れない画像を読み取っていく。
そして、読取部９を停止させたときとは逆の方向に移動規制部３１のレバー５３を回動させてロックを解除してから読取部９を支持部７の上方へと移動させ、印刷物３のページをめくるなどする。
【００６２】
また、図１０に示すように、載置機構１１５を基台５上で（９０度）回転させて、底板１１７の長手方向がスキャナ６５の長手方向に沿うように設置もしてよい。すると、より大きな印刷物３を読み取ることができる。この場合、被読取面２の画像を上下半分ずつ２回に分けてスキャナ６５で読み取っていく。このとき、印刷物支持部１２１に支持され上方に立ち上がる印刷物３の端部については、読取部９を下降させると天板２６に形成された溝部３３から装置後方へと突出することになる。この場合、図示しないスライドバー等に設けられたメモリを参照しながら被読取面２の読み取り位置を変更しながら画像を読み取る。
【００６３】
このような画像読取装置１によれば、スキャナ６５の上下の移動が可能になるので、印刷物３のページをめくる際に、スキャナ６５を上昇させることにより、印刷物３がスキャナ６５に干渉してしまうことを防ぐことができるので、作業性を良くすることができる。また、載置機構１１５に印刷物３をセットする際にもスキャナ６５が邪魔にならない。
【００６４】
そして、スキャナ６５の読取面８９を印刷物３の被読取面２に当接させて読み取るので、凹凸のある印刷物３であっても被読取面２を平坦にすることができ、正確な画像を読み取ることができる。
【００６５】
さらに、スキャナ６５の読取面８９と印刷物３の被読取面２との当接状態を窓部４０及び覗き窓３７を介して外部から確認することができるので、印刷物３へ負担をかけ過ぎることなく適度な圧着で読み取ることができる。
【００６６】
また、スキャナ６５の側面の下部に切り欠き７５，８２，８３を設けたので、例えば、読取可能な範囲を側面側に極力寄せることができ、印刷物３である書物を見開きにした状態のノド部７７まで画像を読み取ることができる。例えば、キャリッジ装置９１を案内するガードレールが存在することによって、スキャナ６５の側面７４の上部を読取可能な範囲に対して側方に位置させなければならない場合であっても切り欠き７５，８２によって読取可能な範囲を側面７４側に寄せることができる。また、支持体１０４によって光源６７の端部が暗くなり光量が不足する場合でも、切り欠き７５，８２によって読取可能な範囲を側面７４側に寄せることができる。
【００６７】
切り欠き８３は、スキャナ６５の隣り合う側面に設けられるため、印刷物３の向きを変えることにより、例えば、Ａ３等、大きいサイズの印刷物３でも読み取ることが可能となる。
【００６８】
さらに、スキャナ６５には、紫外線光源１０１，１０２が設けられているので、高度な画像読取が可能となる。
【００６９】
装置部１０３には、視認できない紫外線光源による画像読取中であることを外部へ知らせる報知ランプ１０５が設けられているので、作業者に画像読取中であることを確実に認識させることができる。
【００７０】
そして、スキャナ６５に対して載置機構１１５が水平方向にスライドすることができるので、印刷物３のページによってノド部７７の位置が変わっても、その変化に応じた調節が可能である。
【００７１】
さらに、スキャナ６５に対して載置機構１１５を回転させれば、印刷物３の方向を容易に変更することができる。
【００７２】
載置機構１１５は、印刷物３の一側を水平に載置させる印刷物載置部１１９と、印刷物３の他側を支持する印刷物支持部１２１とを有して相互間に隙間を設けて成っているので、この隙間に印刷物３の背表紙を挿入させることによって印刷物３を固定することができる。さらに、隙間の幅は調節可能であるため、背表紙の厚さに応じた幅に隙間を調節することができる。
【００７３】
載置機構１１５の印刷物支持部１２１は、印刷物載置部１１９に対して傾斜可能に設けられているので、被読取面２のある印刷物３の一側を印刷物載置部１１９に載置させ、他側を印刷物支持部１２１に載置させることによって、印刷物３を全開状態にすることなく、軽く開いた状態で読み取ることができる。これにより、古くて脆い書物であっても書物に負担をかけることなく画像を読み取ることができる。また、印刷物支持部１２１の傾斜角度を調節する調節機構１２３を有しているため、書物の厚みやページによって、角度を適宜調節することができる。このとき、調節機構１２３は、印刷物載置部１１９に対する印刷物支持部１２１の角度を９０度〜１８０度まで調節可能となっている。
【００７４】
なお、上記実施形態に限らず、光源６７として赤外線管等、他の光源を用いても良い。すると、紫外線でも読み取ることのできない木簡などのカーボン系のインクの文字、絵等を読み取ることができる。また、印刷物支持部１２１に支持される印刷物３の端部にフェルト等で作られた袋をかぶせるなどして、印刷物３のページが閉じないようにしてもよい。
【００７５】
また、覗き窓３７及び窓部４０の形状は上記のような形状に限らず、天板２６の上方からスキャナ６５の読取面８９と印刷物３の被読取面２との当接状態を確認できる形状であればよい。
【００７６】
さらに、図１１に示すように、天板２６の前側の角部に切りかけ部１６２を設けて、作業者が装置前方からレバー５３の操作をし易いようにしてもよい。
また、図１２に示すように、昇降補助機構１１‘を読取部９の両側に設けることによって昇降作業を容易にするとともに、読取部９の安定化を図ることができる。
【図面の簡単な説明】
【００７７】
【図１】本発明における一実施形態の画像読取装置の正面図である。
【図２】本発明における一実施形態の画像読取装置の側面図である。
【図３】本発明における一実施形態の画像読取装置の平面図である。
【図４】本発明における一実施形態の画像読取装置のスキャナの側面図である。
【図５】本発明における一実施形態の画像読取装置のスキャナの側面図である。
【図６】本発明における一実施形態の画像読取装置のスキャナの側面図である。
【図７】本発明における一実施形態の画像読取装置による画像読取時の正面図である。
【図８】本発明における一実施形態の画像読取装置の載置機構の側面図である。
【図９】本発明における一実施形態の画像読取装置の載置機構の平面図である。
【図１０】本発明における一実施形態の画像読取装置の載置機構を回転させた場合の斜視図である。
【図１１】本発明における一実施形態の画像読取装置の天板の他の実施例を示す平面図である。
【図１２】本発明における一実施形態の画像読取装置の昇降機構を複数設けた場合の実施例を示す平面図である。
【符号の説明】
【００７８】
１  画像読取装置
２  被読取面
３  印刷物(被印刷物)
７  支持部（昇降機構）
１１，１１‘  昇降補助機構（昇降機構）
２６  天板（昇降機構）
２７  可動保持部（昇降機構）
２９  挟持部（昇降機構）
４０  窓部
６５  スキャナ（画像読取手段）
７４，７９  側面
７５，８２，８３  切り欠き
８１  隣り合う側面
８９  読取面
９９  白色光源
１０１，１０２  紫外線光源
１０５  報知ランプ（報知手段）
１１５  載置機構（被読取物載置台）
１１９  印刷物載置部(被読取物載置部)
１２１  印刷物支持部（被読取物支持部）
１２３  調節機構（角度調節機構）
【図１】
2006197389.tif 000003
【図２】
2006197389.tif 000004
【図３】
2006197389.tif 000005
【図４】
2006197389.tif 000006
【図５】
2006197389.tif 000007
【図６】
2006197389.tif 000008
【図７】
2006197389.tif 000009
【図８】
2006197389.tif 000010
【図９】
2006197389.tif 000011
【図１０】
2006197389.tif 000012
【図１１】
2006197389.tif 000013
【図１２】
2006197389.tif 000014